(57)【要約】  空気式放射空調による空調システムの運転立ち上がり時間をより短縮し、暖房運転時には暖かい空気が室内上部に溜まるのを防ぐことで、室内温度を均一化し室内全体を効率的に空調する空調システムを提供すること、およびこれに用いる放射パネルを提供するため、  空調システムに用いる、室内機からの空気を溜める空気溜まり空間と空調を行う対象の空間である室内空間を分離する放射パネルにおいて、開口部を有し、開口部の開口率が可変であるようにした。
2018037471.tif 000002
【特許請求の範囲】
【請求項１】
室内機からの空気を溜める空気溜まり空間と空調を行う対象の空間である室内空間を分離する放射パネルであって、
開口部を有し、前記開口部の開口率が可変であることを特徴とする放射パネル。
【請求項２】
上部パネルと下部パネルが二重に重ねて構成され、前記上部パネルと前記下部パネルをスライドすることにより前記開口率を変更できることを特徴とする請求項１に記載の放射パネル。
【請求項３】
室内機からの空気を溜める空気溜まり空間と、
前記空気溜まり空間と空調を行う対象の空間である室内空間を分離する放射パネルであって、開口部を有し、前記開口部の開口率が可変である放射パネルと、
を備えたことを特徴とする空調システム。
【請求項４】
前記開口部の前記開口率を制御するリモコンと、
前記リモコンの操作に基づいて、前記開口率を可変とする稼働機構と、
を備えたことを特徴とする請求項３に記載の空調システム。
【請求項５】
温度を計測する温度センサと、
前記温度センサの温度情報に基づいて、前記開口率を可変とする稼働機構と、
を備えたことを特徴とする請求項３に記載の空調システム。
【請求項６】
前記放射パネルは、前記開口率を可変とする稼働機構を備え、
前記稼働機構は、前記開口率を変化させた後、一定時間経過した後に前記開口率を元に戻すことを特徴とする請求項３に記載の空調システム。
【請求項７】
前記放射パネルは、それぞれの前記開口部の前記開口率の少なくとも２つを異なる値にできる複数のグリッドに分けられていることを特徴とする請求項３に記載の空調システム。
【請求項８】
前記複数のグリッドの各グリッドに接続された複数のダクトと、
前記複数のダクトの風量をそれぞれ調整する複数の風量調整機構と、
を備えたことを特徴とする請求項７に記載の空調システム。
【請求項９】
前記開口部のそれぞれに設置され、前記開口部の前記開口率を個別に調整できる開口率可変機構を備えたことを特徴とする請求項３に記載の空調システム。
【請求項１０】
前記放射パネルは、前記空気溜まり空間の両面に設置されていることを特徴とする請求項３に記載の空調システム。
【発明の詳細な説明】
【技術分野】
【０００１】
本発明は、開口部を有する放射パネルおよび、それを用いた空調システムに関するものである。
【背景技術】
【０００２】
従来の空気式放射空調による空調システムでは、天井プレナムと室内空間を分離する放射パネルを設置し、室内機を駆動して天井プレナム内を冷却又は加熱し、放射パネルの開口部から室内空間に供給される気流と、冷却または加熱されたパネルの放射の効果によって室内空間を空調していた。これにより、水式輻射空調よりも簡易的な設計で、快適性の高い空間を維持していた。
【先行技術文献】
【特許文献】
【０００３】
【特許文献１】特開２００６−１３２８２３号公報
【発明の概要】
【発明が解決しようとする課題】
【０００４】
しかし、従来の空調システムでは、運転立ち上がり時に室内空間が最適な温熱環境になるまで、対流空調と比較して時間がかかっていた。また、暖房運転の場合に自然対流によって暖かい空気が室内上部に溜まってしまい、効率的に室内空間を暖めることができなかった。【０００５】
本発明は上記の従来の問題に鑑みてなされたものであり、空気式放射空調による空調システムの運転立ち上がり時間をより短縮し、暖房運転時には暖かい空気が室内上部に溜まるのを防ぐことで、室内温度を均一化し室内全体を効率的に空調する空調システムを提供すること、およびこれに用いる放射パネルを提供することを目的とする。
【課題を解決するための手段】
【０００６】
この発明に係る放射パネルは、
室内機からの空気を溜める空気溜まり空間と空調を行う対象の空間である室内空間を分離するものであって、
開口部を有し、前記開口部の開口率が可変である
ことを特徴とするものである。
【発明の効果】
【０００７】
この発明によれば、開口部を有する放射パネルの開口率を可変にすることで、開口部から室内空間に供給される気流の速度と放射効果を調整することができる。
【図面の簡単な説明】
【０００８】
【図１】この発明の実施の形態１に係る放射パネルを示す構成図である。
【図２】この発明の実施の形態１に係る放射パネルを示す構成図である。
【図３】この発明の実施の形態２に係る空調システムを示す構成図である。
【図４】この発明の実施の形態３に係る空調システムを示す構成図である。
【図５】この発明の実施の形態４に係る空調システムを示す構成図である。
【図６】この発明の実施の形態５に係る空調システムを示す構成図である。
【図７】この発明の実施の形態８に係る空調システムに用いる放射パネルを示す構成図である。
【図８】この発明の実施の形態９に係る空調システムを示す構成図である。
【図９】この発明の実施の形態１０に係る空調システムに用いる放射パネルを示す構成図である。
【図１０】この発明の実施の形態１１に係る空調システムを示す構成図である。
【発明を実施するための形態】
【０００９】
実施の形態１．
図１、図２は本発明の実施の形態１に係わる放射パネルを示す構成図である。図において、１２ａ、１２ｂは放射パネル、３０は開口部である。
【００１０】
放射パネルは、空調システムの室内機からの空気を溜める空気溜まり空間である天井プレナムと、空調システムが空調を行う対象の空間である室内空間との間に設置され、天井プレナムと室内空間を分離する位置に設置される。天井プレナムは天井裏空間のことであり、室内機から供給される空気により、室内空間よりも気圧が高くなっている。なお、プレナムには天井プレナム以外の空間が用いられても良く、必ずしも天井裏に設置されるもとは限らない。
【００１１】
図１、図２において、上部パネルである放射パネル１２ａが、下部パネルである放射パネル１２ｂの上に二重に重なった構造となっている。そして、放射パネル１２ａが左右に稼働する構造となっている。放射パネル１２ａ、１２ｂには開口部３０が設けられている。放射パネル１２ａが左右に稼働することにより、開口部３０が重なる部分の面積が変化し、穴の空いている実際に開口する部分の面積も変化する。これにより開口部３０の開口率が決定する。ここで、開口率とは、開口部を含む放射パネル１２ｂ全体の面積、すなわち天井面の面積に対して、実際に開口する部分の面積の割合を表す。
【００１２】
開口率が変化することにより、天井プレナムから室内空間に供給される気流の速度が変化する。また同時に、放射パネルの表面積が変わることで、室内空間に与えられる放射効果が変化する。図２に示すとおり、放射パネル１２ａを右にずらすことで、開口率が下がる。逆に左にずらすことで開口率が元に戻る。
【００１３】
以上の構成と動作により、開口部を有する放射パネルの開口率を可変にし、開口部から室内空間に供給する気流速度と放射効果を調整できる。
【００１４】
なお、ここでは開口部３０が円形の形状をしている例を示したが、これに限らず、開口部３０は四角形であってもよいし、他の形状でも良い。また、放射パネル１２ａの開口部３０と、放射パネル１２ｂの開口部３０とは、異なる形状でも良く、異なる大きさでも構わない。また上部パネルである放射パネル１２ａと下部パネルである放射パネル１２ｂが二重に重ねて構成されているものを示したが、これに限らず放射パネル１２ｂは１枚であってもよく、開口部３０の開口率が可変であれば、どのようなものでも構わない。
【００１５】
実施の形態２．
図３は本発明の実施の形態２に係わる空調システムを示す構成図である。図において、１２ａ、１２ｂは放射パネル、１は室内機、２は室外機、１０は室内空間、２０は空気溜まり空間である天井プレナムである。
【００１６】
本実施の形態では、天井プレナム２０と室内空間１０を分離する２枚の放射パネル１２ａ、１２ｂが設置され、室外機２とそれに接続された室内機１を駆動して天井プレナム２０内を冷却又は加熱する。２枚の放射パネル１２ａ、１２ｂの開口部３０（図示せず）から室内空間１０に供給される気流の効果と、冷却または加熱された放射パネル１２ａ、１２ｂの放射効果によって空調を行う対象の空間である室内空間１０を空調する。
【００１７】
放射パネル１２ａ、１２ｂは、図１、２に示すとおり、開口部３０を有する２枚の放射パネルが重なった構成であり、上部パネルである放射パネル１２ａをスライドさせることにより、開口率を変更する。天井プレナム２０は室内機１から供給される空気により、空調を行う対象の空間である室内空間１０よりも気圧が高くなっている。放射パネル１２ａ、１２ｂは、室内機１から放出されて天井プレナム２０内に溜まった空気によって冷却又は加熱される。なお、本実施の形態は、空気をためる空間として天井プレナムを利用しているが、空気溜まり空間として床下空間や壁面空間を利用してもよい。
【００１８】
本実施の形態において、放射パネル１２ａ、１２ｂの開口率を変更することで得られる特徴を以下に説明する。
（１）気流について：
パネルの開口率を下げると、天井プレナム２０に溜まった空気が室内空間１０へ移動する面積が減少する。しかし室内機１から供給される空気の量はほとんど変化しないため、パネルの開口部を通過する空気の移動量もほとんど変わらない。このため、結果として気流の速度が上がる。逆に開口率を上げると、気流の速度が下がる。
（２）放射効果について：
パネルの開口率を下げると、開口部の面積が減少し、これに伴って、実際に放射が行われる見かけ上のパネルの面積が大きくなる。このため、空調機の室内機１から放出されて天井プレナム２０内に溜まった空気によって冷却又は加熱されたパネルからの放射効果が大きくなる。逆に開口率を上げると、放射効果が小さくなる。
【００１９】
この開口率の違いによる特徴を生かし、本実施の形態は下記のとおり動作させる。
冷房の立ち上がり時において、室内が暑い状況である場合は、室内機１の冷房の風量を上げる。それと同時に、パネルの開口率を上げ、天井からの気流の速度を抑える。冷房の通常運転中において、通常は居住者に放射パネルからの気流を感じさせずに放射効果を最大限に与えられるようにパネルの開口率を設定する。そして、気流を好む利用者に対して一時的に速い気流を送る場合にパネルの開口率を下げる。また、気流を好まない利用者に対して気流を感じさせないようにする場合にパネルの開口率を上げる。
【００２０】
暖房の立ち上がり時において、室内が寒い状況である場合は、室内機１の暖房の風量を上げる。それと同時に、パネルの開口率を上げ、天井からの気流の速度を抑える。暖房の通常運転中において、通常は居住者に放射パネルからの気流を感じさせずに放射効果を最大限に与えられるようにパネルの開口率を設定する。そして、室内を寒く感じた場合にパネルの開口率を下げ下向きの気流の速度を上げることによって、自然対流によって室内空間１０の上部に溜まった暖かい空気を下降させ室内空間１０の全体を暖める。これは同時に、パネルの面積が大きくなるため、居住者に対してパネルからの放射効果を最大限に与えることになる。
【００２１】
開口率を変えられない空気式放射空調システムにおいては、運転立ち上がり時に室内機１の風量を増加させた場合、利用者に当たる気流の速度が増加するため利用者の快適感が低下する。一方、本実施の形態は、室内機の風量を増加させたことに応じて開口率を上げるように動作するため、利用者に直接当たる不快な気流を抑えられ、快適感を維持できる。
【００２２】
冷房利用時の通常運転では、気流感を好む利用者が多い場合に気流速度を上げることや、気流感を嫌う利用者が多い場合に気流速度を下げることができるため、快適性を向上させる効果がある。
【００２３】
暖房利用時の通常運転では、室内空間１０の上部に溜まった暖かい空気を気流によって下降させることで、室内空間１０の温度を素早く均一化できる。温度を均一化させることで、無駄に暖め過ぎている箇所を抑制できるため省エネ効果が生まれる。また、温度を素早く均一化することで利用者の快適性を向上させる効果が生まれる。
【００２４】
実施の形態３．
図４は本発明の実施の形態３に係わる空調システムを示す構成図である。図において、図３と同じ符号は同一又は相当部分を示す。また、３１はリモコン、３２は稼働機構であるアクチュエータである。
【００２５】
本実施の形態は、実施の形態２に対して、パネルの開口率を操作するリモコン３１と、リモコン３１の操作に基づいて、開口率を可変とするアクチュエータ３２を付加した構成としている。リモコン３１は空調操作用の既存のものに、パネル開口率操作機能を付加したものでもよい。なお、アクチュエータ３２は自動でパネルを動かせる機構であれば、その形態は問わない。そして、本実施の形態は、リモコン３１を用いてパネルの開口率を操作し制御する。
【００２６】
本実施の形態の構成により、空調利用者はリモコン３１を用いて開口率を自動で操作できる。このため、利用者の負荷を軽減する効果がある。
【００２７】
実施の形態４．
図５は本発明の実施の形態４に係わる空調システムを示す構成図である。図において、図３、図４と同じ符号は同一又は相当部分を示す。また、３３は室内上部に設置された温度センサである。
【００２８】
本実施の形態は、実施の形態２に対して、室内空間１０の上部の温度を計測する温度センサ３３とパネルの開口率を操作するアクチュエータ３２を付加した構成である。そして、本実施の形態は、温度センサ３３が計測する温度情報に基づいてアクチュエータ３２を動作させ、パネルの開口率を操作する。なお、温度センサ３３は複数個設置してもよい。その場合は複数台の温度センサ３３が計測した温度情報の平均値を利用しても良いし、他の方法で利用しても良い。また、アクチュエータ３２は開口率を動かせる機構であれば他の機構でも構わない。
【００２９】
本実施の形態は、暖房利用時の通常運転において、温度センサ３３で空気温度を計測し、予め設定した値よりも高い値を計測した場合に、アクチュエータ３２を用いてパネルの開口率を下げる。これにより、気流を室内空間１０の下部へ送る。一方、空気温度が予め設定した値よりも低い値となった場合に開口率を元に戻す。
【００３０】
このように動作させることにより、利用者の生活圏内に暖かい空気を素早く送ることができるため、利用者の快適性を向上させる効果が生まれる。また、室内温度を素早く均一化させることで、無駄に暖め過ぎている箇所を抑制できるため省エネ効果が生まれる。さらに、実施の形態２、３では、利用者の主観に依存して開口率を変更するタイミングを決定していたが、温度センサ３３の値を基に操作することによって、より正確に室内空間１０の全体を設定した温度に近づけることができ、手動でパネルの開口率を変更させる場合よりも利用者の負荷を軽減することができる。
【００３１】
実施の形態５．
図６は本発明の実施の形態５に係わる空調システムを示す構成図である。図において、図３から図５と同じ符号は同一又は相当部分を示す。また、３４は温度センサである。
【００３２】
本実施の形態は、実施の形態２に対して、室内空間１０の温度を測定する温度センサ３４とパネルの開口率を操作するアクチュエータ３２を付加した構成である。実施の形態４の温度センサ３３は室内上部に設置したが、実施の形態５の温度センサ３４は室内の生活圏内に設置する。そして、本実施の形態は、温度センサ３４の温度情報に基づいて、アクチュエータ３２を動作させ、パネルの開口率を操作する。なお、温度センサ３４は複数個配置しても良い。その場合は計測した温度情報の平均を利用しても良いし、他の方法で利用しても良い。また、アクチュエータ３２は開口率を動かせる機構であれば他の機構でも構わない。
【００３３】
本実施の形態は、冷房の立ち上がり時に室内が暑い状況の場合、室内機１の冷房の風量を上げる。この時同時に、アクチュエータ３２を動作させてパネルの開口率を上げ、天井からの気流の風速を抑える。その後、温度センサ３４で室内温度を測定し、測定した結果が予め設定した温度に近づいた時に、アクチュエータ３２を動作させてパネルの開口率を元に戻す。
【００３４】
また、暖房の立ち上がり時に室内が寒い状況の場合、室内機１の暖房の風量を上げる。この時同時に、アクチュエータ３２を動作させてパネルの開口率を上げ、天井からの気流の速度を抑える。その後、温度センサ３４で室内温度を測定し、測定した結果が予め設定した温度に近づいた時に、アクチュエータ３２を動作させてパネルの開口率を戻す。
【００３５】
さらに、暖房の通常運転時（立ち上り時以外）において、室内温度が予め設定した温度よりも下がったことを温度センサ３４で検知した時に、アクチュエータ３２を用いてパネルの開口率を下げて下向きの気流の速度を上げることにより、自然対流によって室内空間１０の上部に溜まった暖かい空気を下降させ室内の生活圏内を暖める。その後、温度センサ３４で室内温度が設定温度に近づいたことを検知した場合に、アクチュエータ３２を用いて開口率を元に戻す。
【００３６】
開口率を変えられない空気式放射空調システムにおいて、運転立ち上がり時に室内機の風量を増加させた場合、利用者に当たる気流の速度が増加するため利用者の快適感が低下する。一方、本実施の形態は、室内機の風量を増加させたことに応じて開口率を上げるように動作するため、利用者に直接当たる不快な気流を抑えられ、快適感を維持できる。
【００３７】
また、暖房利用時の通常運転では、室内空間１０の上部に溜まった暖かい空気を気流によって生活圏内に下ろすことで、室内空間１０の温度を均一化し効率よく室内を暖める。これにより、無駄に暖め過ぎている箇所を抑制できるため省エネ効果が生まれる。また、暖かい環境を維持できるため、利用者の快適性を向上させる効果が生まれる。
【００３８】
また、実施の形態２、３では、利用者の主観に依存して開口率を変更するタイミングを決定していたが、温度センサ３４の値をもとに操作することによって、より正確に室内空間１０の全体を設定した温度に近づけることができ、手動でパネルの開口率を変更させる場合よりも利用者の負荷を軽減することができる。
【００３９】
実施の形態６．
本実施の形態は、実施の形態２、実施の形態３および実施の形態４を組み合わせた構成、もしくは実施の形態２、実施の形態３および実施の形態５を組み合わせた構成である。また、本実施の形態において、構成要素の動作は、実施の形態２、実施の形態３、実施の形態４および実施の形態５で説明した動作と同様である。
【００４０】
本実施の形態は、通常利用時は温度センサを用いて自動で制御するため、利用者の負荷を軽減できる。加えて、温度センサによる自動制御に利用者が不満を持つ場合は、利用者が開口率を変更できる。これにより、利用者の負荷を軽減しつつ、利用者が望む開口率を維持することができる。
【００４１】
実施の形態７．
本実施の形態は、実施の形態２または実施の形態３と同様の構成であるが動作が異なる。本実施の形態において、稼働機構であるアクチュエータ３２は、パネルの開口率を変更してから一定時間経過した後に、開口率を元に戻すように動作する。
【００４２】
以上に示した構成と動作により、実施の形態４と実施の形態５に示した温度センサを設置する必要がなく、設計を簡易化することが可能である。なお、温度センサを設置した場合にも、一定時間経過した後に開口率を元に戻すことで、実施の形態４または実施の形態５より動作を簡易化できる。
【００４３】
実施の形態８．
図７は本発明の実施の形態８に係わる空調システムに用いる放射パネルを示す構成図である。図において、図１、図２と同じ符号は同一又は相当部分を示す。
【００４４】
本実施の形態は実施の形態２と放射パネル（上部）１２ａと放射パネル（下部）１２ｂの構成だけが異なる。本実施の形態は、天井と同じ面積の放射パネル（上部）１２ａと放射パネル（下部）１２ｂを用いるのではなく、天井よりも小さな面積の放射パネル（上部）１２ａと放射パネル（下部）１２ｂを複数設置し、各々の放射パネル１２ｂの上部にそれぞれ放射パネル１２ａを配置する。これにより、場所ごとに開口率を変更できるように動作する。すなわち、放射パネルが、それぞれの開口部の開口率の少なくとも２つを異なる値にできる複数のグリッドに分けられている。なお、放射パネル（上部）１２ａのみを、天井よりも小さな面積のパネルとする構成でもよい。
【００４５】
以上に示した構成と動作により、利用者の好みによって気流の速度を高くする場所を作るなど、個々人の好みに応じて場所により気流を調整できるため、快適性を向上させる効果がある。また、室内のレイアウトの変更などにより、熱負荷の高い機器の置き場所が変わった際に、その場所の風当りを強めるなどの対応も可能である。
【００４６】
実施の形態９．
図８は本発明の実施の形態９に係わる空調システムを示す構成図である。図において、図３から図６と同じ符号は同一又は相当部分を示す。また、１４はダクトである。
【００４７】
本実施の形態は、実施の形態８に対し、室内機１から各放射パネルに接続した複数のダクト１４を付加した構成である。ダクト１４は気体を運ぶ管（風導管）である。それぞれのダクト１４には風量調整機構であるダンパ（図示せず）が設けられている。これら複数のダンパは、それぞれのダクトの中間等に取り付けられ風量を調節する装置（調整弁）である。本実施の形態は、ダクト１４を通過する風量を、ダンパを用いてダクト１４毎に調整できる。したがって、放射パネル毎に供給する空気の量を放射パネル毎に調整できる。なお、風量調整機構は、ダンパ以外でも風量を調整できる機構であればどのようなものを用いても良い。
【００４８】
本実施の形態は、冷房時の通常運転において、暑さを感じた利用者に対して、その利用者付近に設置された放射パネルの風量を、ダクト１４の風量を操作することで上げる。それと同時に、放射パネルの開口率を下げ、下向きの気流の風速を上げる。一方、冷え過ぎを感じた利用者に対して、その利用者付近に設置された放射パネルの風量を、ダクト１４の風量を操作することで下げる。それと同時に、放射パネルの開口率を上げ、下向きの気流の風速を下げる。
【００４９】
また、本実施の形態は、暖房時の通常運転において、寒さを感じた利用者に対して、その利用者付近に設置された放射パネルの風量を、ダクト１４を操作することで上げる。それと同時に、放射パネルの開口率を下げ、下向きの気流の風速を上げる。一方、暖まり過ぎを感じた利用者に対して、その利用者付近に設置された放射パネルの風量を、ダクト１４を操作することで下げる。それと同時に、放射パネルの開口率を上げ、下向きの気流の風速を下げる。
【００５０】
以上に示した構成と動作により、利用者の好みによって気流の速度を高くする場所を作るなど、個々人の好みに応じて気流と風量を調整できるため、快適性を向上させる効果がある。また、室内のレイアウトの変更などにより、熱負荷の高い機器の置き場所が変わった際に、その場所の風当りを強めるなどの対応も可能である。
【００５１】
実施の形態１０．
図９は本発明の実施の形態１０に係わる空調システムに用いる放射パネルを示す構成図である。図において、図１、図２と同じ符号は同一又は相当部分を示す。また、１３は放射パネル、３５は開口率可変機構である弁である。
【００５２】
本実施の形態は、実施の形態２に対し、放射パネルの各穴に弁３５を設置し、各穴の大きさを個別に調整できる機構を付加している。なお、弁以外でも各穴の大きさを変更できる機構であればよい。本実施の形態は、穴ごとに大きさを変え、場所ごとの気流と放射の効果を調整する。
【００５３】
このように動作させることにより、形態８、９よりもより詳細に、場所ごとの気流と放射の効果を調整できる。また、パネルを重ねる必要がないので、設計が容易になる。
【００５４】
実施の形態１１．
図１０は本発明の実施の形態１１に係わる空調システムを示す構成図である。図において、図３から図６、及び図８と同じ符号は同一又は相当部分を示す。また、４０は下階エリア、５０は上階エリアである。
【００５５】
本実施の形態は、実施の形態２に対し、上階エリア５０と下階エリア４０で天井プレナム２０を共有しており、天井プレナム２０上部の上階エリア５０においても、床から気流と放射の効果を得られるようにした。
【００５６】
本実施の形態は、冷房時の通常運転において、天井プレナム２０上部の放射パネル１２ａと放射パネル１２ｂにより形成される開口率を下げて穴を閉じる、天井プレナム２０下部の放射パネル１２ａと放射パネル１２ｂにより形成される開口率を上げることにより、気流を下階エリアへ流し、下階エリアを気流の効果によって冷やす。また、上階エリアと下階エリアの両方に放射効果を与える。
【００５７】
また、本実施の形態は、暖房時において、天井プレナム２０下部の放射パネル１２ａと放射パネル１２ｂにより形成される開口率を下げて穴を閉じる、天井プレナム２０上部の放射パネル１２ａと放射パネル１２ｂにより形成される開口率を上げることにより、気流を上階エリアへ流し、上階エリアを気流の効果によって暖める。また、上階エリアと下階エリアの両方に放射効果を与える。
【００５８】
以上に示した構成と動作により、暖気は下から上へと流れ、冷気は上から下へと流れるという特性を生かした暖房と冷房を実現することができる。そのため、より弱い気流で部屋や人を冷したり暖めたりすることができるため、ドラフト感を下げて快適性向上の効果が生まれる。また、自然対流を利用しているため効率よく空気が循環し、室内をムラなく均一に出来るので快適性の向上と省エネの効果がある。さらに、一つの室内機と室外機により上階エリアと下階エリアの両方で放射の効果を得られることも省エネに繋がる。
【産業上の利用可能性】
【００５９】
本発明にかかる放射パネルおよび空調システムは、室内空気を調和する装置やその部品として適用できる。
【符号の説明】
【００６０】
１  室内機、２  室外機、１０  室内空間、１２ａ、１２ｂ  放射パネル、１３  放射パネル、１４  ダクト、２０  天井プレナム、３０  開口部、３１  リモコン、３２  アクチュエータ、３３  温度センサ、３４  温度センサ、３５  弁、４０  下階エリア、５０  上階エリア
【図１】
2018037471.tif 000003
【図２】
2018037471.tif 000004
【図３】
2018037471.tif 000005
【図４】
2018037471.tif 000006
【図５】
2018037471.tif 000007
【図６】
2018037471.tif 000008
【図７】
2018037471.tif 000009
【図８】
2018037471.tif 000010
【図９】
2018037471.tif 000011
【図１０】
2018037471.tif 000012
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
室内機からの空気を溜める空気溜まり空間と空調を行う対象の空間である室内空間を分離する放射パネルであって、
開口部を有し、前記開口部の開口率が可変であり、
前記開口部の前記開口率を制御するリモコンの操作に基づいて前記開口率を可変とする稼働機構により、前記開口率が制御されることを特徴とする放射パネル。
【請求項２】
上部パネルと下部パネルが二重に重ねて構成され、前記上部パネルと前記下部パネルをスライドすることにより前記開口率を変更できることを特徴とする請求項１に記載の放射パネル。
【請求項３】
室内機からの空気を溜める空気溜まり空間と、
前記空気溜まり空間と空調を行う対象の空間である室内空間を分離する放射パネルであって、開口部を有し、前記開口部の開口率が可変である放射パネルと、
前記開口部の前記開口率を制御するリモコンと、
前記リモコンの操作に基づいて、前記開口率を可変とする稼働機構と、
を備えたことを特徴とする空調システム。
【請求項４】
温度を計測する温度センサと、
前記温度センサの温度情報に基づいて、前記開口率を可変とする稼働機構と、
を備えたことを特徴とする請求項３に記載の空調システム。
【請求項５】
前記放射パネルは、前記開口率を可変とする稼働機構を備え、
前記稼働機構は、前記開口率を変化させた後、一定時間経過した後に前記開口率を元に戻すことを特徴とする請求項３に記載の空調システム。
【請求項６】
前記放射パネルは、それぞれの前記開口部の前記開口率の少なくとも２つを異なる値にできる複数のグリッドに分けられていることを特徴とする請求項３に記載の空調システム。
【請求項７】
前記複数のグリッドの各グリッドに接続された複数のダクトと、
前記複数のダクトの風量をそれぞれ調整する複数の風量調整機構と、
を備えたことを特徴とする請求項６に記載の空調システム。
【請求項８】
前記開口部のそれぞれに設置され、前記開口部の前記開口率を個別に調整できる開口率可変機構を備えたことを特徴とする請求項３に記載の空調システム。
【請求項９】
前記放射パネルは、前記空気溜まり空間の両面に設置されていることを特徴とする請求項３に記載の空調システム。
【国際調査報告】
2018037471.tif 000013
2018037471.tif 000014
2018037471.tif 000015
2018037471.tif 000016